(57)【要約】【課題】収納部の有価媒体処理装置への取付位置の間違いを簡易に防止する。【解決手段】有価媒体処理装置が、有価媒体を収納する収納部が取り付けられない第１の状態、または、収納部が取り付けられる第２の状態のいずれかに設定される取付部と、取付部が選択されたことに基づいて、選択された取付部の第１の状態と第２の状態との切替処理を行う制御部と、を有する。【選択図】図５
2020160522.tif 000002
【特許請求の範囲】
【請求項１】
有価媒体を収納する収納部が取り付けられない第１の状態、または前記収納部が取り付けられる第２の状態のいずれかに設定される取付部と、
取付部が選択されたことに基づいて、選択された前記取付部の前記第１の状態と前記第２の状態との切替処理を行う制御部と、
を有する有価媒体処理装置。
【請求項２】
前記取付部は複数設けられ、
前記制御部は、前記複数の取付部のうち、選択された取付部において、前記第１の状態と前記第２の状態との切替処理を行う、
請求項１に記載の有価媒体処理装置。
【請求項３】
前記制御部は、前記複数の取付部のうち、選択されなかった取付部において、前記第１の状態を維持する処理を行う、
請求項２に記載の有価媒体処理装置。
【請求項４】
前記取付部は複数設けられ、
前記制御部は、前記複数の取付部のうちの１つが選択されたことを受付け、選択された前記取付部において、前記第１の状態から前記第２の状態への切替処理を行う、
請求項１から３のいずれか一項に記載の有価媒体処理装置。
【請求項５】
前記制御部は、前記複数の取付部のうちの１つが選択されたことを受付け、さらに前記収納部に付与されている前記収納部を識別する識別情報を受付けた場合、前記選択された取付部において、前記第１の状態から前記第２の状態への切替処理を行う、
請求項４に記載の有価媒体処理装置。
【請求項６】
前記制御部は、選択された前記取付部に関する情報と前記識別情報とを対応させて記憶部に記憶させる、
請求項５に記載の有価媒体処理装置。
【請求項７】
前記制御部は、選択された前記取付部に関する情報に対応する前記識別情報が前記記憶部から削除された場合、削除された前記識別情報に対応する前記取付部において、前記第２の状態から前記第１の状態への切替処理を行う、
請求項６に記載の有価媒体処理装置。
【請求項８】
前記制御部は、選択された前記取付部に関する情報を前記記憶部から削除した場合、削除対象の前記取付部において、前記第２の状態から前記第１の状態への切替処理を行う、
請求項６または７に記載の有価媒体処理装置。
【請求項９】
前記制御部は、前記選択された前記取付部に関する情報と、前記識別情報と、前記識別情報の収納部に収納された有価媒体の情報とを対応させて前記記憶部に記憶させる、
請求項６から８のいずれか一項に記載の有価媒体処理装置。
【請求項１０】
前記取付部は、前記収納部の取り付けを阻害する機構を有する、
請求項１から９のいずれか一項に記載の有価媒体処理装置。
【請求項１１】
前記取付部は、前記収納部の第１の部分が取り付けられる第１の取付部と、前記収納部の第２の部分が取り付けられる第２の取付部と、備え、
前記第１の取付部および前記第２の取付部の少なくとも一方を、前記制御部の制御に応じて前記第１の取付部および前記第２の取付部が対向する方向に駆動する駆動部、をさらに備え、
前記取付部は、前記駆動部の動作により、前記第１の取付部と前記第２の取付部との距離が変更されることによって、前記第１の状態と前記第２の状態とのいずれかに設定される、
請求項１から１０のいずれか一項に記載の有価媒体処理装置。
【請求項１２】
前記第２の状態では、前記第１の取付部と前記第２の取付部とが第１の距離離間し、
前記第１の状態では、前記第１の取付部と前記第２の取付部とは第１距離より大きい第２距離離れるか、または、前記第１の取付部と前記第２の取付部とは接触する、
請求項１１に記載の有価媒体処理装置。
【請求項１３】
前記収納部は、全体もしくは一部分が樹脂で形成された袋であるか、全体もしくは一部分が金属で形成された袋であるか、またはカセットである、
請求項１から１２のいずれか一項に記載の有価媒体処理装置。
【発明の詳細な説明】
【技術分野】
【０００１】
本発明は、有価媒体処理装置に関する。
【背景技術】
【０００２】
特許文献１には、媒体を収納する複数種類の収納カセットと、複数種類の収納カセットのうち、対応する種類の収納カセットのみを装着可能な複数のカセット装着部とを有し、誤った収納カセットが装着されることを防止する技術が開示されている。
【０００３】
特許文献１の複数種類の収納カセットは、カセット装着部と係合する係合部が外面に着脱自在に取り付けられるようになっていると共に、当該係合部の取付位置が種類ごとに異なっていて、上記外面に、収納カセットの種類と当該種類に対応する取付位置とを示す標識部とが設けられている。
【先行技術文献】
【特許文献】
【０００４】
【特許文献１】特開２０１５−４０１１３号公報
【発明の概要】
【発明が解決しようとする課題】
【０００５】
しかし、特許文献１では、目的とする取付位置に収納カセットを間違いなく取り付けるために、収納カセットの外面に係合部を取り付ける。そのため、特許文献１では、係合部の取付作業が煩雑である。
【０００６】
そこで本発明は、収納部の有価媒体処理装置への取付位置の間違いを簡易に防止する技術を提供することを目的とする。
【課題を解決するための手段】
【０００７】
本発明の有価媒体処理装置は、有価媒体を収納する収納部が取り付けられない第１の状態、または前記収納部が取り付けられる第２の状態のいずれかに設定される取付部と、取付部が選択されたことに基づいて、選択された前記取付部の前記第１の状態と前記第２の状態との切替処理を行う制御部と、を有する。
【発明の効果】
【０００８】
本発明によれば、収納部の有価媒体処理装置への取付位置の間違いを簡易に防止できる。
【図面の簡単な説明】
【０００９】
【図１】紙幣処理装置の概略構成図である。
【図２】紙幣処理装置の制御系のブロック構成例を示した図である。
【図３】収納袋の斜視図である。
【図４】収納フレームの取付部およびステージの斜視図である。
【図５】収納フレームにおける一方の取付部の斜視図である。
【図６】収納袋の開口が閉じられる様子を説明する図である。
【図７】紙幣処理装置の動作例を示すフローチャートである。
【図８】記憶部に記憶される情報の一例を示す図である。
【図９】記憶部に記憶される情報の一例を示す図である。
【図１０】収納フレームにおける一方の取付部の他の例の斜視図である。
【図１１】収納フレームにおけるカバーの他の例を示す図である。
【発明を実施するための形態】
【００１０】
以下、本発明の実施の形態を、図面を参照して説明する。本発明に係る有価媒体処理装置は、例えば、紙幣、有価証券、または投票用紙等の紙葉類、または、硬貨等の有価媒体を処理する装置である。以下では、本発明に係る有価媒体処理装置を、紙幣を処理する紙幣処理装置に適用した例について説明する。
【００１１】
図１は、紙幣処理装置１の概略構成図である。図１に示すように、紙幣処理装置１は、投入部２と、搬送部３と、識別部４と、一時保留部５と、投出部６と、収納フレームＡ，Ｂと、操作表示部９と、識別情報取得部１０と、制御部３０と、を有している。図１は、収納フレームＡ，Ｂに収納袋２１，２２を取付けた状態を示している。
【００１２】
図１に示す紙幣処理装置１は、例えば、入金処理装置である。紙幣処理装置１は、例えば、スーパーマーケット等の店舗のフロント領域やバックオフィス領域に設置され、または銀行ロビーや銀行のカウンター内部等に設置され、入金処理等の処理を行う。
【００１３】
なお、紙幣処理装置１が入金処理装置であることは例示であり、紙幣処理装置１が出金の際に使用されるカセットやテープ式収納部を備えた入出金機であってもよい。
【００１４】
以下では、紙幣処理装置１に対し、図１に示す位置関係でｘ、ｙ、ｚ軸の直交座標系を設定する。
【００１５】
投入部２には、ユーザにより紙幣が投入される。投入部２は、投入された紙幣を１枚ずつ搬送部３に繰り出す繰出機構部２ａを有している。投入部２は、ユーザが投入した紙幣を、繰出機構部２ａによって１枚ずつ搬送部３に繰り出す。
【００１６】
識別部４は、搬送部３の周辺であって、投入部２より下流、かつ、一時保留部５、投出部６、および収納フレームＡ、Ｂより上流の位置に設けられている。識別部４は、各種センサ（図示せず）を備え、搬送部３で搬送される紙幣の金種、真偽、表裏、正損、新旧等を識別する。搬送部３で搬送される紙幣は、識別部４の識別結果またはユーザの操作等に応じて、一時保留部５、投出部６、および収納フレームＡ、Ｂ（つまり、収納袋２１，２２）のいずれかに搬送される。
【００１７】
一時保留部５は、テープを用いてドラムに紙幣を巻回するテープ式の紙幣収納繰出機構を構成する。一時保留部５は、搬送部３で搬送された紙幣を一時的に収納し、また、一時的に収納した紙幣を搬送部３に繰り出す。すなわち、紙幣は、一時保留部５を経由して、入金口２から収納袋２１または収納袋２２に搬送される。
【００１８】
投出部６には、搬送部３から搬送された紙幣が集積される。投出部６は、羽根車を回転する羽根車駆動部６ａを有している。投出部６は、搬送部３から搬送された紙幣を、回転する羽根車によって整列して集積する。ユーザは、投出部６に集積された紙幣を、紙幣処理装置１の前面から取出すことができる。
【００１９】
収納フレームＡは、取付部７ａａ，７ａｂと、ステージ７ｂａ，７ｂｂと、を有している。取付部７ａａ，７ａｂには、収納袋２１が取り付けられる。収納袋２１は、開口が開いた状態で、取付部７ａａ，７ａｂに取り付けられる。開口が開いた状態の収納袋２１には、搬送部３で搬送された紙幣が収納される。
【００２０】
ステージ７ｂａは、後述する制御部３０の制御に応じて、ステージ７ｂｂに向って移動する。ステージ７ｂａのステージ７ｂｂへの移動によって、収納袋２１の上部は閉じられる（図６参照）。
【００２１】
収納フレームＡと同様に、収納フレームＢは、取付部８ａａ，８ａｂと、ステージ８ｂａ，８ｂｂと、を有している。取付部８ａａ，８ａｂには、収納袋２２が取り付けられる。収納袋２２は、開口が開いた状態で、取付部８ａａ，８ａｂに取り付けられる。開口が開いた状態の収納袋２２には、搬送部３で搬送された紙幣が収納される。
【００２２】
ステージ８ｂａは、制御部３０の制御に応じて、ステージ８ｂｂに向って移動する。ステージ８ｂａのステージ８ｂｂへの移動によって、収納袋２２の上部は閉じられる。
【００２３】
操作表示部９は、例えば、タッチパネルである。操作表示部９は、紙幣処理装置１に関する各種情報を表示する。
【００２４】
操作表示部９は、例えば、紙幣の入金処理の処理状況や、収納袋２１，２２に収納されている紙幣の在高等に関する情報を表示する。また、操作表示部９は、収納袋２１，２２を取り付ける収納フレームＡ、Ｂをユーザまたは回収業者等が選択するための情報（例えば図７参照）を表示する。さらに、操作表示部９は、ユーザまたは回収業者等の選択操作を受付け、選択結果に関する情報を制御部３０に送信する。
【００２５】
識別情報取得部１０は、収納袋２１、２２に付された、各袋に固有の識別情報を取得する。識別情報取得部１０としては、ハンディータイプのスキャナ又はバーコードリーダ等を用いることができる。識別情報取得部１０は、読み取った識別情報を制御部３０に送信する。
【００２６】
なお、収納フレームの数は２つに限られない。収納フレームは、１つでもよいし、３以上であってもよい。
【００２７】
図２は、紙幣処理装置１の制御系のブロック構成例を示した図である。
【００２８】
制御部３０には、繰出機構部２ａ、搬送部３、識別部４、一時保留部５、羽根車駆動部６ａ、収納フレームＡ、Ｂ、および操作表示部９が接続されている。また、制御部３０には、図１に図示されていない記憶部６１および通信インタフェース部６２が接続されている。制御部３０は、例えば、ＣＰＵ（Central Processing Unit）で構成され、接続されている各部を制御する。
【００２９】
収納フレームＡは、ステージ駆動部４１と、加熱部４２と、カバー４３とを有している。また、収納フレームＢは、ステージ駆動部５１と、加熱部５２と、カバー５３とを有している。ステージ駆動部４１，５１、加熱部４２，５２、カバー４３，５３については、以下で詳述する。
【００３０】
記憶部６１はメモリなどの記憶デバイスであり、記憶部６１には制御部３０が動作するためのプログラム、制御部３０が計算処理を行うためのデータ、接続されている各部を制御するためのデータ等が記憶されている。また、記憶部６１には、たとえば、収納フレームＡを識別するための識別情報「Ａ」と、収納フレームＢを識別するための識別情報「Ｂ」とが記憶されている。識別情報「Ａ」、「Ｂ」は例示であり、識別情報は他の数字、記号等であってもよい。
【００３１】
通信インタフェース部６２には、識別情報取得部１０が接続される。識別情報取得部１０は、収納袋２１、２２に付された識別情報を取得する。
【００３２】
制御部３０は、通信インタフェース部６２を介して、識別情報取得部１０と通信する制御を行う。識別情報取得部１０は、通信インタフェース部６２に対し、着脱可能となっていてもよい。つまり、識別情報取得部１０は、通信インタフェース部６２と有線で通信してもよいし、無線で通信してもよい。
【００３３】
また、通信インタフェース部６２には、例えば、インターネット等を介して、上位装置（図示せず）が接続される。制御部３０は、通信インタフェース部６２を介して、上位装置と通信する制御を行う。例えば、制御部３０は、通信インタフェース部６２を介して、紙幣処理装置１の在高の情報等を上位装置に送信する制御を行う。また、制御部３０は、ユーザまたは回収業者等により回収された収納袋２１，２２の識別情報も上位装置に送信する制御を行う。
【００３４】
制御部３０は、収納フレームＡの識別情報「Ａ」または収納フレームＢの識別情報「Ｂ」と、通信インタフェース部６２が受信した収納袋２１，２２の識別情報とを関連付けて記憶部６１に記憶させる。
【００３５】
図３は、収納袋２１の斜視図である。図３に示すように、収納袋２１は、上部に穴７１ａ〜７１ｃ，７２ａ〜７２ｃを有している。穴７１ａ，７１ｂの間隔と、穴７１ｂ，７１ｃの間隔は異なっており、穴７１ａ，７１ｂの間隔は穴７１ｂ，７１ｃの間隔より大きくなっている。
【００３６】
また、穴７１ａ，７１ｂの間隔と、穴７１ａ，７１ｂに対向する穴７２ａ，７２ｂの間隔は同じか略同じになっている。穴７１ｂ，７１ｃの間隔と穴７１ｂ，７１ｃに対向する穴７２ｂ，７２ｃの間隔も同じか略同じになっている。
【００３７】
収納袋２１は、例えば、ポリエチレン等の高分子化合物、又は、アルミニウム等の金属、またはそれらの組み合わせによって形成されている。収納袋２１は、たとえばポリエチレンを材料とする。収納袋２１は柔軟であり、且つ、熱溶着可能である。収納袋２１は、上部に開口を有している。搬送部３で搬送された紙幣は、収納袋２１の開口を介して、収納袋２１内に収納される。
【００３８】
収納袋２１の外側表面には、収納袋２１に固有の識別情報が付されている。識別情報は、例えば、文字、数字若しくは記号、又はそれらの組み合わせから成る文字列でもよいし、それらを情報として含むバーコードであってもよい。バーコードに、二次元コードが含まれてもよいことは言うまでも無い。図３には、収納袋２１に、バーコード７３が付された状態が示されている。バーコード７３は、たとえば印刷により収納袋２１の外表面に付されている。識別情報は、収納袋２１の両面に付されてもよい。
【００３９】
収納袋２２（図１参照）は、収納袋２１とは異なる識別情報を有する点以外、実質的に、収納袋２１と同様の構成を有している。
【００４０】
図４は、収納フレームＡの取付部７ａａ，７ａｂおよびステージ７ｂａ，７ｂｂの斜視図である。なお、図４では、図５で説明するカバー４３は省略されている。
【００４１】
図４に示すように取付部７ａａは、上面にピン（突起）８１ａ〜８１ｃを有している。また、取付部７ａｂは、上面にピン８２ａ〜８２ｃを有している。取付部７ａａ，７ａｂの上面は、ｚ軸方向において同一の高さとなるよう収納フレームＡに固定されている。なお、各ピンの形状、大きさ及び高さなどは、図４に示されるものには限られず、種々変更してもよいことは勿論である。例えば、形状は、図示される円柱状には限られず、角柱状であってもよい。
【００４２】
また、ピン８１ａ，８１ｂの間隔とピン８１ｂ，８１ｃの間隔は異なっている。具体的には、ピン８１ａ，８１ｂの間隔はピン８１ｂ，８１ｃの間隔より大きくなっている。また、ピン８１ａ，８１ｂの間隔と、ピン８１ａ，８１ｂに対向するピン８２ａ，８２ｂの間隔は同じになっている。さらに、ピン８１ｂ，８１ｃの間隔とピン８１ｂ，８１ｃに対向するピン８２ｂ，８２ｃの間隔も同じになっている。
【００４３】
また、ピン８１ａとピン８１ｂとの間隔は、収納袋２１に形成された穴７１ａと穴７１ｂとの間隔に等しい。また、ピン８１ｂとピン８１ｃとの間隔は、穴７１ｂと穴７１ｃとの間隔に等しい。また、ピン８２ａとピン８２ｂとの間隔は、収納袋２１に形成された穴７２ａと穴７２ｂとの間隔に等しい。また、ピン８２ｂとピン８２ｃとの間隔は、穴７２ｂと穴７２ｃとの間隔に等しい。よって、ピン８１ａ〜８１ｃは、収納袋２１に設けられた穴７１ａ〜７１ｃと係合し、ピン８２ａ〜８２ｃは、収納袋２１に設けられた穴７２ａ〜７２ｃと係合する。すなわち、収納袋２１は、バーコード７３が付された面が、バーコード７３が付されている（つまり穴７１ａ〜７１ｃが形成されている）側が取り付けられる取付部（つまり取付部７ａａ）の方（つまり−ｙ方向）を向くように、収納フレームＡに取り付けられる。言い換えれば、収納袋２１は、バーコード７３が＋ｙ方向を向くように取り付けられることはない。
【００４４】
つまり、収納袋２１は、バーコード７３が必ず所定の方向を向くように取付けられる。
【００４５】
ステージ７ｂａは、ステージ７ｂｂに対して離接する方向、つまり±ｙ方向に移動できるように収納フレームＡに設けられている。一方、ステージ７ｂｂは、収納フレームＡに固定されている。
【００４６】
ステージ７ｂａは、ステージ駆動部４１によって、ステージ７ｂｂに対して離接する方向、つまり±ｙ方向に移動する。ステージ７ｂａ，７ｂｂは、同じ高さとなるように配置されており、ステージ７ｂａは、＋ｙ方向に移動すると、収納袋２１を介してステージ７ｂｂと接触する。
【００４７】
なお、ステージ７ｂｂが、ステージ７ｂａに対して離接する方向、つまり±ｙ方向に移動できるように収納フレームＡに設けられ、ステージ７ｂａが収納フレームＡに固定されていてもよい。このときステージ７ｂｂは、ステージ駆動部５１によって、ステージ７ｂａに対して離接する方向、つまり±ｙ方向に移動する。さらに、ステージ７ｂａおよびステージ７ｂｂの両方が±ｙ方向に移動できるように収納フレームＡに設けられていてもよい。
【００４８】
ステージ７ｂａは、収納袋２１が取付部７ａａ，７ａｂに取付けられるとき、または、収納袋２１に紙幣が収納されるとき、ステージ７ｂｂから離れた位置（図１または図４に示す位置）に位置している。一方、ステージ７ｂａは、収納袋２１が回収されるとき、ステージ７ｂｂに向って移動する。これにより、収納袋２１の開口は閉じられる（図６参照）。
【００４９】
図５は、収納フレームＡにおける一方の取付部７ａａの斜視図である。
【００５０】
取付部７ａａの上側且つ取付部７ａｂが配置されている側の反対側には、カバー４３が取り付けられている。例えば、取付部７ａａが、ｘ軸に平行な稜を４本有する直方体状の部材である場合、−ｙ側且つ＋ｚ側に位置する稜の近傍に、カバー４３は取り付けられている。
【００５１】
カバー４３は、取付部７ａａに対して、ｘ軸と平行な回転軸周りに、つまり矢印Ａ１ａに示される方向に、ヒンジ等を介して回転可能に取り付けられている。カバー４３が回転することにより、ピン８１ａ〜８１ｃは、カバー４３によって覆われたり、カバー４３に覆われることなく露出したりする。図５に示す例は、カバー４３が開いている状態、つまり、ピン８１ａ〜８１ｃが露出している状態である。この状態（第２の状態）では、収納袋２１に設けられた穴７１ａ〜７１ｃをピン８１ａ〜８１ｃに係合させて、収納袋２１を取付部７ａａに取り付けることができる。
【００５２】
図５に示される状態から、カバー４３を閉じる、つまり、矢印Ａ１ｂの方向に回転させると、ピン８１ａ〜８１ｃの上面が覆われる。その結果、穴７１ａ〜７１ｃをピン８１ａ〜８１ｃに係合させることができない、つまり、収納袋２１を取付部７ａａに取り付けることができない状態（第１の状態）になる。
【００５３】
すなわち、カバー４３は、回転してピン８１ａ〜８１ｃに対する相対位置が変わることにより、収納袋２１に設けられた穴７１ａ〜７１ｃをピン８１ａ〜８１ｃに係合させることを阻害することができるように構成されている。
【００５４】
また、取付部７ａｂの上側且つ取付部７ａａが配置されている側の反対側にも、カバー（不図示）が取り付けられている。例えば、取付部７ａｂが、ｘ軸に平行な稜を４本有する直方体状の部材である場合、＋ｙ側且つ＋ｚ側に位置する稜の近傍に、カバーは取り付けられている。
【００５５】
取付部７ａｂに取り付けられているカバーは、取付部７ａｂに対して、ｘ軸と平行な回転軸周りに、ヒンジ等を介して回転可能に取り付けられている。このカバーが回転することにより、ピン８２ａ〜８２ｃは、このカバーによって覆われたり、このカバーに覆われることなく露出したりする。このカバーが開いている状態（第２の状態）、つまり、ピン８１ａ〜８１ｃが露出している状態では、収納袋２１に設けられた穴７２ａ〜７２ｃをピン８２ａ〜８２ｃに係合させて、収納袋２１を取付部７ａｂに取り付けることができる。
【００５６】
この状態から、取付部７ａｂに取り付けられているカバーを閉じると、ピン８２ａ〜８２ｃの上面が覆われる。その結果、穴７２ａ〜７２ｃをピン８２ａ〜８２ｃに係合させることができない、つまり、収納袋２１を取付部７ａｂに取り付けることができない状態（第１の状態）になる。
【００５７】
また、カバー４３は、カバー４３又は取付部７ａａに設けられた、ソレノイドなどを用いた電磁ロック機構（図示せず）によってロックされる。具体的には、カバー４３がピン８１ａ〜８１ｃの上面を覆っている状態（第１の状態）となっている場合、電磁ロック機構は、カバー４３が動かないようにロックする。これにより、ユーザまたは回収業者等が、手などでカバー４３の状態を変えることはできなくなる。なお、電磁ロック機構によるロックの条件については、後に詳述する。
【００５８】
なお、カバー４３の回転不能な状態を維持するためには、電磁ロック機構に限らずその他のロック可能な手段を用いてもよい。
【００５９】
また、電磁ロック機構またはその他のロック可能な手段は、取付部７ａｂに取り付けられたカバーまたは取付部７ａｂにも設けられている。なお、カバー４３と取付部７ａｂに取り付けられたカバーのいずれか一方のみがロックされるように構成されていてもよい。
【００６０】
図６は、収納袋２１の開口が閉じられる様子を説明する図である。図６において、紙幣Ｐ１は、収納袋２１に収納された紙幣である。
【００６１】
ステージ７ｂａは、ステージ駆動部４１によって、ステージ７ｂｂに向って（つまり＋ｙ方向に）移動する。例えば、ステージ７ｂａは、紙幣Ｐ１が紙幣処理装置１から回収されるとき、ステージ７ｂｂに向って移動する。これにより、収納袋２１の上部が、ステージ７ｂａおよびステージ７ｂｂによって挟み込まれる（ふさがれる）。
【００６２】
ここで、ステージ７ｂａは、ヒータ等の加熱部４２を有している。加熱部４２は、ステージ７ｂａにおけるステージ７ｂｂと対向している面を加熱する。ステージ７ｂａがステージ７ｂｂに向かって移動して、収納袋２１の開口が閉じられると、制御部３０の制御によって、加熱部４２の温度が上昇する。加熱部４２は、ステージ７ｂａの内部に設けられてもよいし、ステージ７ｂａの表面に露出するように設けられてもよい。なお、加熱部４２は、ステージ７ｂｂに設けられてもよいし、ステージ７ｂａ，７ｂｂの両方に設けられてもよい。
【００６３】
加熱部４２の温度が上昇すると、収納袋２１のステージ７ｂａ，７ｂｂで挟まれている部分は熱溶着される。これにより、収納袋２１の開口は閉じられ、収納袋２１に収納された紙幣Ｐ１は、収納袋２１に封入される。
【００６４】
また、ここでは収納フレームＡの取付部７ａａ，７ａｂおよびステージ７ｂａ，７ｂｂについて説明したが、収納フレームＢの取付部８ａａ，８ａｂおよびステージ８ｂａ，８ｂｂも同様である。
【００６５】
例えば、取付部８ａａ，８ａｂも、取付部７ａａ，７ａｂと同様に、収納袋２２が取り付けられるピンを有している。また、ステージ８ｂａは、ステージ駆動部５１によって、±ｙ方向に移動する。そして、ステージ８ｂａは、内部に加熱部５２を有している。
【００６６】
続いて、本実施形態に係る紙幣処理装置１の動作について説明する。なお、ここでは、収納袋の取付及び取り外しに特に関連する操作又は動作のみについて説明し、その前提となる当然の、または、どのタイミングで行われるかは任意の操作又は動作については説明を省略する。例えば、収納袋を取り付けたり取り外したりする際に、紙幣処理装置１の筐体に取り付けられている扉を開けたり閉めたりする必要がある場合があるが、そのような操作については説明を省略する。
【００６７】
図７は、紙幣処理装置１の動作例を示すフローチャートである。
【００６８】
動作開始後、制御部３０は、ユーザ等からの操作を待つ（ステップＳ１）。
【００６９】
操作表示部９を介して、ユーザ等による操作が行われると、制御部３０は、この操作が、収納袋を取り付ける収納フレームを選択する操作と、収納フレームから収納袋を取り外す操作のいずれであるかを判別する（ステップＳ２）。
【００７０】
ユーザ等によって行われた操作が、収納袋を取り付ける収納フレームを選択する操作であった場合（ステップＳ２において、フレーム選択）、制御部３０は、操作表示部９から、収納フレームＡと収納フレームＢのいずれが選択されたのか、という情報を取得する。
【００７１】
続いて、制御部３０は、収納袋の識別情報の入力を受け付ける（ステップＳ３）。
【００７２】
具体的には、選択された収納フレームに取り付けられる収納袋に付されているバーコードが、識別情報取得部１０によって読み取られ、制御部３０は、この収納袋に固有の識別情報を取得する。
【００７３】
取得された識別情報は、例えば図８に示されるようなテーブル６００の形式で、記憶部６１に記憶される。すなわち、図８は、記憶部６１に記憶される情報の一例である。テーブル６００は、左列に収納フレームを識別する情報が格納され、右列に収納袋の識別情報が格納されるテーブルである。同一行の収納フレーム識別情報と収納袋識別情報が対応する。図８に示される例示されるテーブルは、「Ａ」という識別情報を有する収納フレーム、すなわち、収納フレームＡに、「１２３４５６７８９」という識別情報を有する収納袋がこれから取り付けられる、または、すでに取り付けられているということを示している。また、このテーブルは、「Ｂ」という識別情報を有する収納フレーム、すなわち、収納フレームＢに、「９８７６５４３２１」という識別情報を有する収納袋がこれから取り付けられる、または、すでに取り付けられているということを示している。
【００７４】
なお、テーブル６００が、図示しない列をさらに有し、この列に、対応する収納袋に収納されている紙幣に関する情報、例えば、記番号、金種ごとの枚数、合計金額等が格納されてもよい。
【００７５】
以下、選択された収納フレームが収納フレームＡで、収納フレームＡに取り付けるべき収納袋が収納袋２１で、収納袋２１に付されている識別情報が「１２３４５６７８９」であるとして、説明を続ける。
【００７６】
収納袋２１の識別情報の入力が受け付けられると、収納袋２１を取り付ける収納フレームとして選択された収納フレーム、つまり、収納フレームＡが備えるロックが解除される（ステップＳ４）。
【００７７】
よって、ユーザ等は、カバー４３及び取付部７ａｂに取り付けられたカバー（以下、これらを総称してカバー４３と記載する）を開き、ピン８１ａ〜８１ｃ及びピン８２ａ〜８２ｃを露出させ、これらのピンに、収納袋２１に形成されている穴７１ａ〜７１ｃ及び穴７２ａ〜７２ｃを係合させることができる。つまり、収納フレームＡに収納袋２１を取り付けることができる。収納フレームＡに収納袋２１が取り付けられた後、ユーザ等は、カバー４３を閉じる。
【００７８】
なお、このとき、収納フレームＢが備える取付部８ａａ、８ａｂのカバー５３のロックは解除されない（つまり、第１の状態が維持される）。よって、ユーザ等が誤って、収納袋２１を収納フレームＢに取り付けることを未然に防止することができる。
【００７９】
カバー４３が閉じられた後、ユーザ等は、操作表示部９を操作し、収納フレームＡへの収納袋２１の取付が完了したことを入力する。すると、制御部３０は、カバー４３をロックする（ステップＳ５）。なお、カバー４３のロックは、カバー４３を閉じることで自動的に行われてもよい。
【００８０】
以上で、収納フレームＡへの収納袋２１の取付動作が完了する。収納袋を取り付ける収納フレームとして収納フレームＢが選択された場合も同様の動作が行われる。また、収納フレームＡ及び収納フレームＢそれぞれに収納袋を取り付ける必要がある場合、上述の工程（ステップＳ１〜ステップＳ５）が２回繰り返される。なお、収納フレームが３つ以上有り、各収納フレームに収納袋を取り付ける必要がある場合に、上述の工程（ステップＳ１〜ステップＳ５）が３回以上繰り返されることは言うまでも無い。
【００８１】
以上の説明から明らかなように、収納フレームＡ又は収納フレームＢに、収納袋を取り付けるためには、ユーザ等は、取り付けられる収納フレームを選択した後に、選択された収納フレームのロックを解除するため、取り付ける収納袋の識別情報を入力する必要がある。よって、収納袋を、選択した収納フレームに誤りなく取り付けることができる。例えば、収納フレームＡに取り付けるべき収納袋を誤って収納フレームＢに取り付けたり、収納フレームＢに取り付けるべき収納袋を誤って収納フレームＡに取り付けたりすることを防止できる。
【００８２】
次に、操作表示部９を介して、ユーザ等によって行われた操作が、収納袋の取り外しに関する操作であった場合（ステップＳ２において、収納袋の取り外し）について説明する。この場合、制御部３０は、操作表示部９から、収納フレームＡと収納フレームＢのいずれが選択されたのか、という情報を取得する。なお、ここで取得する情報は、取り外される収納袋の識別情報そのものであってもよい。
【００８３】
続いて、制御部３０は、選択された収納フレームに収納袋が取り付けられており、且つ、取り付けられている収納袋の識別情報が正しく入力されていたか否かを判別する（ステップＳ６）。
【００８４】
例えば、記憶部６１に格納されているテーブル６００が、図８に示されるものである場合、収納フレームＡには識別情報が１２３４５６７８９である収納袋が取り付けられており、収納フレームＢには識別情報が９８７６５４３２１である収納袋が取り付けられていることになる。すなわち、収納フレームＡにも収納フレームＢにも、収納袋が取り付けられており、且つ、それらの収納袋の識別情報は、取付の際に正しく入力されていたということを示している。
【００８５】
よって、記憶部６１に格納されているテーブル６００が、図８に示されるものである場合、制御部３０は、選択された収納フレームが収納フレームＡであっても収納フレームＢであっても、収納フレームには収納袋が取り付けられており、且つ、取り付けられている収納袋の識別情報は正しく入力されていたと判別する。
【００８６】
制御部３０によって、選択された収納フレームに収納袋が取り付けられており、且つ、取り付けられている収納袋の識別情報が正しく入力されていると判別されると（ステップＳ６にてＹＥＳ）、制御部３０は、選択された収納フレームに取り付けられている収納袋の取り外しを許可する（ステップＳ７）。
【００８７】
具体的には、制御部３０は、選択された収納フレームが有するカバーのロックを解除する。よって、ユーザは、選択した収納フレームから収納袋を取り出すことができる。
【００８８】
選択された収納フレームが収納フレームＡである場合、制御部３０は、カバー４３のロックを解除する。よって、ユーザは、収納フレームＡから、識別情報が１２３４５６７８９である収納袋２１を取り出すことができる。また、このとき、収納フレームＢが備える取付部８ａａ、８ａｂのカバー５３のロックは解除されない（すなわち、第１の状態が維持される）。よって、ユーザが誤って、収納フレームＢから収納袋を取り出すことを未然に防止することができる。
【００８９】
選択された収納フレームから収納袋が取り出されると、制御部３０は、選択された収納フレームの識別情報と取り出された収納袋の識別情報との関連づけを解除する（ステップＳ８）。例えば、収納フレームＡから収納袋２１が取り出されると、制御部３０は、図９に示されるように、テーブル６００の右列のうち、収納フレームＡに対応する欄から、識別情報１２３４５６７８９を削除する。すなわち、図９は、記憶部６１に記憶される情報の一例である。なお、テーブル６００から、収納フレームＡに対応する欄Ａに関する情報と、収納袋２１の識別情報の両方が削除されてもよい。
【００９０】
続いて、制御部３０は収納フレームをロックする（ステップＳ９）。例えば、収納袋２１が収納フレームＡから取り出され、テーブル６００から識別情報１２３４５６７８９が削除されると、制御部３０は、カバー４３をロックする（つまり、第２の状態から第１の状態への切替処理が行われる）。よって、収納袋を取り出された後、新しい収納袋の識別情報が読み取られる前に、新しい収納袋を収納フレームに取り付けることを未然に防止することができる。
【００９１】
そして、次に収納フレームＡに新しい収納袋が取り付けられる際に、新しい収納袋から識別情報が読み取られ、新しい収納袋の識別情報が、テーブル６００の右列の収納フレームＡに対応する欄に格納される。
【００９２】
なお、テーブル６００から削除される情報は、右列の収納袋の識別情報だけではなく、左列の収納フレームＡに関する情報も削除されてもよい。この場合、次に収納フレームＡに新しい収納袋が取り付けられる際に、新しい収納袋の識別情報が、収納フレームＡに関する情報と対応付けられた状態で、テーブル６００に格納される。
【００９３】
また、選択された収納フレームに収納袋が取り付けられていない、または、取り付けられている収納袋の識別情報が正しく入力されていないと判別された場合（ステップＳ６にてＮＯ）、制御部３０は動作を終了させる。
【００９４】
なお、選択された収納フレームに収納袋が取り付けられていないという判別は、ユーザ等が操作表示部９の操作を誤った場合に起こりうる。この場合は、ユーザ等が操作を初めからやり直すことで、取り外すべき収納袋を取り外したり、或いは、取り付けるべき収納袋を取り付けたりすることができる。
【００９５】
また、取り付けられている収納袋の識別情報が正しく入力されていないという判別は、収納袋を取り付ける際に正しい操作が行われなかった場合に起こりうるが、本来あり得ない状況である。つまり、何らかのトラブルが発生している可能性がある。よって、この場合、制御部３０は、例えば、特別な権限を有するユーザ等が操作表示部９を操作しない限り、選択された収納フレームのカバーを開くことができない状態にしてもよい。
【００９６】
以上、本発明の一実施形態について説明したが、本発明はその趣旨を逸脱しない範囲内で種々の変更が可能である。以下にその例を説明する。
【００９７】
図１０は、収納フレームＡの取付部７ａａの変形例を示す斜視図である。図５に示される部材と同じ部材には同じ符号が付してある。取付部７ａａの上面には、ピン８１ａ〜８１ｃが設けられている。ピン８１ａ〜８１ｃは、駆動機構（図示せず）によって駆動され、取付部７ａａの上面から突出するように、矢印Ａ２の方向に移動可能に構成される。
【００９８】
図１０に示されるように、ピン８１ａ〜８１ｃが取付部７ａａの上面から突き出ているときには、収納袋２１の穴７１ａ〜７１ｃをピン８１ａ〜８１ｃに係合させることができる。
【００９９】
一方、ピン８１ａ〜８１ｃが取付部７ａａの上面と面一または取付部７ａａの上面よりも没しているときには、収納袋２１の穴７１ａ〜７１ｃをピン８１ａ〜８１ｃに係合させることができない。
【０１００】
このように、各ピンの突出状態を変更することにより、取付部７ａａに収納袋２１を取り付けることができる状態とできない状態とを切り替えることができる。取付部７ａｂについても同様に構成することができる。また、収納フレームＢの取付部７ａａ、７ａｂについても同様に構成することができる。
【０１０１】
図１１は、カバー４３の変形例を示す模式図である。図１および図５に示される部材と同じ部材には同じ符号が付してある。この変形例では、カバー４３は、取付部７ａａ，７ａｂとは別体で、取付部７ａａ、７ａｂの上方に配置されている。また、収納部Ｂ（つまり、取付部８ａａ、８ａｂ）には、カバー５３は取り付けられていない。カバー４３は、駆動機構（図示せず）によって、取付部７ａａ，７ａｂの上方から取付部８ａａ，８ａｂの上方までの間を、矢印Ａ３で示す方向（水平方向）に移動可能に形成されている。
【０１０２】
図１１に示されるように、カバー４３が取付部７ａａ，７ａｂの上方に位置する場合、取付部７ａａ、７ａｂは、カバー４３により覆われる。よって、取付部７ａａ，７ａｂは収納袋２１を取り付けることができない状態にある。逆に、取付部８ａａ，８ａｂは、カバー４３によって上方を覆われていないので、取付部８ａａ，８ａｂは収納袋２２を取り付けることができる状態となる。
【０１０３】
一方、カバー４３が取付部８ａａ，８ａｂの上方に移動すると、取付部７ａａ，７ａｂは、カバー４３によって上方を覆われなくなる。よって、取付部７ａａ，７ａｂは収納袋２１を取り付けることができる状態となる。逆に、取付部８ａａ，８ａｂは、上方をカバー４３によって覆われる。よって、取付部８ａａ，８ａｂは、収納袋２２を取り付けることができない状態となる。
【０１０４】
このように、１つのカバー４３を、取付部７ａａ，７ａｂの上方と取付部８ａａ，８ａｂの上方との間で移動させることによっても、取付部７ａａに収納袋２１を取り付けることができる状態とできない状態とを切り替えることができる。同時に、取付部８ａａに収納袋２２を取り付けることができない状態とできる状態とを切り替えることができる。しかも、この変形例では、カバー４３を２つの収納フレームＡと収納フレームＢとで共有することができるので、部品点数を少なくすることができる。
【０１０５】
また、紙幣処理装置１は、取付部７ａａ，７ａｂが互いに近づく方向および離れる方向（±ｙ方向）に移動するように、取付部７ａａ，７ａｂの両方または一方を駆動する駆動部を備えてもよい。この場合、制御部３０が、駆動部を動作させ、取付部７ａａと取付部７ａｂとの距離を変更することによって、収納袋２１を取り付けられない状態と、収納袋２１を取り付けられる状態との切り替えを行うことができる。
【０１０６】
例えば、収納袋２１が取り付けられる状態（第２の状態）では、取付部７ａａと第２の取付部７ａｂとは、第１距離だけ離間している。第１距離は、例えば、図１に示される取付部７ａａと取付部７１ａｂとの間の距離であり、収納袋２１の穴７１ａ〜７１ｃを、取付部７ａａのピン８１ａ〜８１ｃに取り付けることができると共に、収納袋２１の穴７２ａ〜７２ｃを、取付部７ａｂのピン８２ａ〜８２ｃに取り付けることができる距離である。
【０１０７】
一方、収納袋２１が取り付けられない状態（第１の状態）では、取付部７ａａと取付部７ａｂとは、第１距離より大きい第２距離にまで離れる。第２距離は、例えば、収納袋２１の穴７１ａ〜７１ｃと、穴７２ａ〜７２ｃとを最も離したとき（収納袋２１の開口を最も広げたとき）の穴７１ａ〜７１ｃと、穴７２ａ〜７２ｃとの距離よりも大きい距離である。この場合、無理矢理取り付けようとすると、収納袋２１が破損してしまう。よって、収納袋２１を取り付けることができない。
【０１０８】
また、取付部７ａａと取付部７ａｂとを接触させることによって、収納袋２１が取り付けられない状態（第１の状態）としてもよい。この場合、取付部７ａａと取付部７ａｂとの間に収納袋を挿入することができない。よって、収納袋２１を取り付けることができない。
【０１０９】
さらに、識別情報取得部１０は、ユーザまたは回収業者が手に持てるハンディータイプの識別情報取得部に限られず、紙幣処理装置１の内部に設置された識別情報取得部であってもよい。識別情報取得部１０は、収納フレームＡに取り付けられた収納袋２１の識別情報と、収納フレームＢに取り付けられた収納袋２２の識別情報とを読み取れるように配置されている。なお、１つの識別情報取得部１０を設け、１つの識別情報取得部１０によって収納袋２１の識別情報と収納袋２２の識別情報とを読み取ってもよいし、２つの識別情報取得部１０を設け、１の識別情報取得部１０により収納袋２１の識別情報を、他の識別情報取得部１０により収納袋２２の識別情報を読み取ってもよい。
【０１１０】
識別情報取得部１０を紙幣処理装置１の内部に設置することで、収納フレームＡ、Ｂに設置された収納袋２１，２２の識別情報を直に読み取ることができる。このようにすれば、収納フレームＡ、Ｂに取り付けない収納袋２１，２２の識別情報を誤って読み取ってしまうことが未然に防止できる。また、識別情報取得部１０は、撮像装置であってもよい。例えば、カメラによる撮像によって、バーコード等の識別情報を読み取ってもよい。
【０１１１】
また、紙幣処理装置１とともに使用される紙幣を収納する容器として、収納袋２１，２２のような柔軟で熱溶着が可能な容器に代えて全体または一部が比較的高い剛性を有する金属または樹脂で形成された袋またはカセットを用いてもよい。
【０１１２】
さらに、一度使用され、識別情報取得部１０によって識別情報が読み取られたた収納袋の識別情報は、記憶部６１または上位装置に記憶されてもよい。一度使用された収納袋の識別情報を記憶することにより、制御部３０又は上位装置は、新たに読み取られ入力された識別情報が、一度使用された収納袋に付されていた識別情報と一致するか否かを判定することができる。これらの識別情報が一致すると判定された場合、制御部３０又は上位装置は、操作表示部９にその旨を表示し、ユーザ等に注意を促すことができる。また、制御部３０又は上位装置は、収納フレームＡ及び収納フレームＢの状態の切り替えをできなくする、つまり、収納袋を取り付けることができないようにしてもよい。こうすることにより、再使用が禁止されているあるいは本来再使用することができない収納袋が、何らかの理由で再使用されることを未然に防止することができる。
【０１１３】
また、収納袋２１，２２の識別情報と、収納フレームＡ、Ｂの収納フレーム情報との関連付けは、紙幣処理装置１に接続されるパーソナルコンピュータ、サーバ等の情報処理装置が行ってもよい。例えば、情報処理装置は、制御部３０の機能を有し、識別情報取得部１０から送信される収納袋２１，２２の識別情報および収納フレームＡ、Ｂの収納フレーム情報を受信してもよい。情報処理装置は、収納袋２１，２２の識別情報と、収納フレームＡ、Ｂの収納フレーム情報とを関連付け、メモリ等の記憶部に記憶する。また、上位装置が情報処理装置の機能を有してもよい。
【産業上の利用可能性】
【０１１４】
本発明は、収納袋等の取り外し可能な容器に紙幣等の有価媒体を収納する有価媒体処理装置に好適に利用することができる。
【符号の説明】
【０１１５】
１  紙幣処理装置
２  投入部
２ａ  繰出機構部
３  搬送部
４  識別部
５  一時保留部
６  投出部
６ａ  羽根車駆動部
Ａ、Ｂ  収納フレーム
７ａａ，７ａｂ，８ａａ，８ａｂ  取付部
７ｂａ，７ｂｂ，８ｂａ，８ｂｂ  ステージ
９  操作表示部
１０  識別情報取得部
２１，２２  収納袋
３０  制御部
４１，５１  ステージ駆動部
４２，５２  加熱部
４３，５３  カバー
６１  記憶部
６２  通信インタフェース部
７１ａ〜７１ｃ，７２ａ〜７２ｃ  穴
７３  バーコード
８１ａ〜８１ｃ，８２ａ〜８２ｃ  ピン
Ｐ１  紙幣
【図１】
2020160522.tif 000003
【図２】
2020160522.tif 000004
【図３】
2020160522.tif 000005
【図４】
2020160522.tif 000006
【図５】
2020160522.tif 000007
【図６】
2020160522.tif 000008
【図７】
2020160522.tif 000009
【図８】
2020160522.tif 000010
【図９】
2020160522.tif 000011
【図１０】
2020160522.tif 000012
【図１１】
2020160522.tif 000013